(57)【要約】【課題】防水シート固定装置を用いて固定部材に防水シートを固定する際、正確かつ簡易な防水シート固定装置の位置決めを可能にする。【解決手段】固定部材６０の表面６１の中心に形成された凹部６２に押し当てるための第１の位置と、防水シート固定装置７０との干渉を避けるための第２の位置との間で切替え可能に配置される押し当て部材１０と、防水シート固定装置７０が位置決めされるように防水シート固定装置７０の外周面が押し当てられる位置決め部８と、を備えた位置決め用治具４を、前記第１の位置に配置された押し当て部材１０が防水シート８２を介して凹部６２に押し当てられるように防水シート８２上に載置し、押し当て部材１０の位置を第２の位置に切り替え、防水シート固定装置７０の外周面を位置決め部８に押し当てるようにして防水シート固定装置７０を防水シート８２上に載置することで、防水シート固定装置７０を位置決めする。【選択図】図１
2010281134.tif 000002
【特許請求の範囲】
【請求項１】
建物の躯体の表面に固定され且つ防水シートにより覆われた円盤状の固定部材に対する所定位置に、防水シート固定装置を位置決めするための防水シート固定装置の位置決め用治具であって、
前記固定部材の中心に形成された凹部に前記防水シートを介して上側から押し当てられる押し当て部材と、
該押し当て部材の位置を、前記押し当て部材を前記凹部に押し当てるための第１の位置と、前記押し当て部材が前記防水シート固定装置に干渉することを避けるための第２の位置との間で切り替えるための切替手段と、
前記防水シート固定装置を前記所定位置に案内するガイド部材と、を備え、
前記ガイド部材は、
前記第１の位置に配置された前記押し当て部材が前記防水シートを介して前記凹部に押し当てられるように前記防水シート上に前記ガイド部材が配置され、且つ、前記押し当て部材が前記第２の位置に配置された状態において、前記防水シート固定装置が前記所定位置に位置決めされるように前記防水シート固定装置の外周面が押し当てられる位置決め部を有することを特徴とする防水シート固定装置の位置決め用治具。
【請求項２】
前記押し当て部材は車輪からなることを特徴とする請求項１に記載の防水シート固定装置の位置決め用治具。
【請求項３】
前記押し当て部材の表面に、前記固定部材を建物の躯体の表面に固定するためのビスの頭部との干渉を回避するためのビス回避用凹部が形成されていることを特徴とする請求項２に記載の防水シート固定装置の位置決め用治具。
【請求項４】
前記押し当て部材は球形または略球形であることを特徴とする請求項１〜３のいずれかに記載の防水シート固定装置の位置決め用治具。
【請求項５】
前記位置決め部は、平面視において前記第１の位置にある前記押し当て部材の中心からの距離が互いに等しい少なくとも２点を通るように形成されていることを特徴とする請求項１〜４のいずれかに記載の防水シート固定装置の位置決め用治具。
【請求項６】
前記位置決め部の平面形状は、円周の半分以下の長さを有する円弧状であることを特徴とする請求項１〜５のいずれかに記載の防水シート固定装置の位置決め用治具。
【請求項７】
前記切替手段は、前記ガイド部材と前記押し当て部材とに跨る連結部材を有し、
該連結部材は、前記ガイド部材に対して所定の回転軸を介して回動可能に連結され、
前記押し当て部材は、前記連結部材が前記回転軸を中心として回動することにより前記第１の位置と前記第２の位置との間で移動可能となっていることを特徴とする請求項１〜６のいずれかに記載の防水シート固定装置の位置決め用治具。
【請求項８】
建物の躯体の表面に固定される円盤状の固定部材と、
防水シートにより覆われた前記固定部材に対する所定位置に防水シート固定装置を位置決めするための位置決め用治具と、を備え、
前記固定部材の表面の中心に凹部が形成され、
前記位置決め用治具は、
前記固定部材の前記凹部に前記防水シートを介して上側から押し当てられる押し当て部材と、
該押し当て部材の位置を、前記押し当て部材を前記凹部に押し当てるための第１の位置と、前記押し当て部材が前記防水シート固定装置に干渉することを避けるための第２の位置との間で切り替えるための切替手段と、
前記防水シート固定装置を前記所定位置に案内するガイド部材と、を備え、
前記ガイド部材は、
前記第１の位置に配置された前記押し当て部材が前記防水シートを介して前記凹部に押し当てられるように前記防水シート上に前記ガイド部材が配置され、且つ、前記押し当て部材が前記第２の位置に配置された状態において、前記防水シート固定装置が前記所定位置に位置決めされるように前記防水シート固定装置の外周面が押し当てられる位置決め部を有し、
前記押し当て部材は、前記固定部材の前記凹部に押し当てられた状態において前記固定部材の前記表面に平行な任意の方向の移動が規制されるように前記凹部に対応して形成されていることを特徴とする防水シート固定ユニット。
【請求項９】
平面視において、前記固定部材の前記凹部の外縁形状は、第１の直径を有する円形であり、
前記押し当て部材は、前記第１の直径よりも大きな第２の直径を有する球形または略球形であることを特徴とする請求項８に記載の防水シート固定ユニット。
【請求項１０】
建物の躯体の表面に円盤状の固定部材を固定する工程と、
前記躯体の表面と前記固定部材との上に防水シートを敷設する工程と、
前記防水シートを介して前記固定部材の上に防水シート固定装置を載置する工程と、
前記防水シート固定装置により前記固定部材と前記防水シートとを加熱融着させることで、前記固定部材を介して前記躯体の表面に前記防水シートを固定する工程と、を有する防水シート固定方法であって、
前記防水シート固定装置を載置する工程は、
前記固定部材の表面の中心に形成された凹部に押し当てるための第１の位置と、前記防水シート固定装置との干渉を避けるための第２の位置との間で切替え可能に配置される押し当て部材と、前記防水シート固定装置が位置決めされるように前記防水シート固定装置の外周面が押し当てられる位置決め部と、を備えた位置決め用治具を、前記第１の位置に配置された前記押し当て部材が前記防水シートを介して前記凹部に押し当てられるように前記防水シート上に載置する工程と、
前記押し当て部材の位置を前記第２の位置に切り替える工程と、
前記防水シート固定装置の外周面を前記位置決め部に押し当てるようにして前記防水シート固定装置を前記防水シート上に載置することで、前記防水シート固定装置を位置決めする工程と、を含むことを特徴とする防水シート固定方法。
【発明の詳細な説明】
【技術分野】
【０００１】
本発明は、電磁誘導加熱装置等の防水シート固定装置を位置決めするために用いられる位置決め用治具、並びに、該位置決め用治具および防水シート固定装置を用いて建物の躯体表面に防水シートを固定するための防水シート固定ユニット及び防水シート固定方法、に関する。
【背景技術】
【０００２】
建物の躯体表面に防水シートを固定するために電磁誘導加熱装置を用いる技術が、例えば特許文献１等に開示されている。
【０００３】
かかる技術を用いて建物の屋上に防水シートを施工する場合、先ず、複数の円盤状の固定部材を適当な間隔を空けて建物の躯体表面に配置し、各固定部材をビス等の固定具により躯体表面に固定する。固定部材としては、鋼板の表面に熱可塑性樹脂（例えば塩化ビニル樹脂、オレフィン樹脂等）が被覆されてなるものを使用する。
【０００４】
躯体表面に固定部材を固定した後、建物の躯体表面および固定部材の上に防水シートを敷設する。続いて、固定部材の設置部分に生じた防水シートの段差を目視することにより、防水シートの下側に隠れた固定部材の位置を確認し、固定部材の上に防水シートを介して電磁誘導加熱装置を載置する。
【０００５】
電磁誘導加熱装置の下端部は発振部となっており、装置の電源をオンにすると、発振部の中心を鉛直方向に沿って通過する磁束が発生する。この磁束はさらに固定部材の中心部を通過し、これにより、固定部材の鋼板部分に過電流が生じて、鋼板部分が加熱される。このとき、固定部材の鋼板部分は、磁束の通過部分の周辺部で加熱され、この加熱部分において、固定部材表面の樹脂と防水シートとが溶融し、防水シートが固定部材に融着される。
【０００６】
ところが、平面視において電磁誘導加熱装置の発振部の中心が固定部材の中心からずれた場合、磁束の通過部分も固定部材の中心部からずれるため、固定部材に加熱むらが生じることがある。例えば、直径６５ｍｍの固定部材を用いる場合、固定部材の中心に対して装置の発振部の中心が３ｍｍ以上ずれると、固定部材に加熱むらが生じてしまう。固定部材に加熱むらが生じると、加熱が不十分な部分において固定部材と防水シートとを融着できない不具合が生じ得る。よって、固定部材に対して防水シートを確実に固定するためには、固定部材に対して電磁誘導加熱装置を精度よく位置決めする必要がある。
【０００７】
固定部材に対して電磁誘導加熱装置を位置決めするために、装置の発振部の外形に対応した枠状の治具を使用することがある。この場合、平面視において枠状治具の開口部の中心と固定部材の中心とが概ね一致するように枠状の治具を防水シート上に載置した後、電磁誘導加熱装置を枠状治具に嵌め込みながら防水シート上に載置することで、装置の発振部の中心が固定部材の中心に概ね一致するように装置が位置決めされる。
【０００８】
しかし、枠状の治具を載置する際、防水シートの段差により固定部材の大凡の位置を確認できるとは言え、防水シートの下に隠れた固定部材の中心に対して、治具の開口部中心を正確に一致させることは極めて困難である。よって、かかる治具を用いても電磁誘導加熱装置を厳密に位置決めすることは困難である。
【０００９】
このような問題に鑑みて、本件特許出願の出願人は、より正確な位置決めを可能とするために、特許文献２に記載された位置決め用治具を考案した。
【００１０】
特許文献２の位置決め用治具は、支持プレートと該支持プレートの下面に取り付けられた３つの車輪とを有する位置決め部材と、電磁誘導加熱装置の発振部の外形に対応した開口部を有する枠状のガイド部材とを備え、ガイド部材の上面に位置決め部材の支持プレートを取り付けた状態で使用される。この取付け状態において、位置決め部材の車輪は、ガイド部材の開口部を通ってガイド部材よりも下方へ突出するようにしてある。使用の際は、防水シートを介して、固定部材の外縁部に対して３つの車輪全てを押し当て、その位置にガイド部材を維持しながら位置決め部材を取り外して、ガイド部材のみを防水シート上に載置する。このとき、平面視においてガイド部材の開口部の中心は固定部材の中心に一致する。よって、ガイド部材の開口部に嵌め込むようにして電磁誘導加熱装置を防水シート上に載置することで、固定部材に対して装置を正確に位置決めすることができる。
【先行技術文献】
【特許文献】
【００１１】
【特許文献１】特開２００６−２３３４６９号公報
【特許文献２】特開２００８−９５３３８号公報
【発明の概要】
【発明が解決しようとする課題】
【００１２】
しかし、上述の特許文献２の治具を使用する際、３つの車輪全てを固定部材の外縁部に押し当てるという比較的煩雑な作業を要するため、位置決め作業の簡略化を図る観点において改善の余地があった。
【００１３】
そこで、本発明は、電磁誘導加熱装置等の防水シート固定装置を用いて、建物の躯体表面に固定された固定部材に防水シートを固定する際、正確かつ簡易な防水シート固定装置の位置決めを可能にすることを、基本的な目的とする。
【課題を解決するための手段】
【００１４】
上記課題を解決するため、本願発明に係る防水シート固定装置の位置決め用治具は、
建物の躯体の表面に固定され且つ防水シートにより覆われた円盤状の固定部材に対する所定位置に、防水シート固定装置を位置決めするための防水シート固定装置の位置決め用治具であって、
前記固定部材の中心に形成された凹部に前記防水シートを介して上側から押し当てられる押し当て部材と、
該押し当て部材の位置を、前記押し当て部材を前記凹部に押し当てるための第１の位置と、前記押し当て部材が前記防水シート固定装置に干渉することを避けるための第２の位置との間で切り替えるための切替手段と、
前記防水シート固定装置を前記所定位置に案内するガイド部材と、を備え、
前記ガイド部材は、
前記第１の位置に配置された前記押し当て部材が前記防水シートを介して前記凹部に押し当てられるように前記防水シート上に前記ガイド部材が配置され、且つ、前記押し当て部材が前記第２の位置に配置された状態において、前記防水シート固定装置が前記所定位置に位置決めされるように前記防水シート固定装置の外周面が押し当てられる位置決め部を有することを特徴とする。
【００１５】
本願発明に係る防水シート固定ユニットは、
建物の躯体の表面に固定される円盤状の固定部材と、
防水シートにより覆われた前記固定部材に対する所定位置に防水シート固定装置を位置決めするための位置決め用治具と、を備え、
前記固定部材の表面の中心に凹部が形成され、
前記位置決め用治具は、
前記固定部材の前記凹部に前記防水シートを介して上側から押し当てられる押し当て部材と、
該押し当て部材の位置を、前記押し当て部材を前記凹部に押し当てるための第１の位置と、前記押し当て部材が前記防水シート固定装置に干渉することを避けるための第２の位置との間で切り替えるための切替手段と、
前記防水シート固定装置を前記所定位置に案内するガイド部材と、を備え、
前記ガイド部材は、
前記第１の位置に配置された前記押し当て部材が前記防水シートを介して前記凹部に押し当てられるように前記防水シート上に前記ガイド部材が配置され、且つ、前記押し当て部材が前記第２の位置に配置された状態において、前記防水シート固定装置が前記所定位置に位置決めされるように前記防水シート固定装置の外周面が押し当てられる位置決め部を有し、
前記押し当て部材は、前記固定部材の前記凹部に押し当てられた状態において前記固定部材の前記表面に平行な任意の方向の移動が規制されるように前記凹部に対応して形成されていることを特徴とする。
【００１６】
本願発明に係る防水シート固定方法は、
建物の躯体の表面に円盤状の固定部材を固定する工程と、
前記躯体の表面と前記固定部材との上に防水シートを敷設する工程と、
前記防水シートを介して前記固定部材の上に防水シート固定装置を載置する工程と、
前記防水シート固定装置により前記固定部材と前記防水シートとを加熱融着させることで、前記固定部材を介して前記躯体の表面に前記防水シートを固定する工程と、を有する防水シート固定方法であって、
前記防水シート固定装置を載置する工程は、
前記固定部材の表面の中心に形成された凹部に押し当てるための第１の位置と、前記防水シート固定装置との干渉を避けるための第２の位置との間で切替え可能に配置される押し当て部材と、前記防水シート固定装置が位置決めされるように前記防水シート固定装置の外周面外周面が押し当てられる位置決め部と、を備えた位置決め用治具を、前記第１の位置に配置された前記押し当て部材が前記防水シートを介して前記凹部に押し当てられるように前記防水シート上に載置する工程と、
前記押し当て部材の位置を前記第２の位置に切り替える工程と、
前記防水シート固定装置の外周面を前記位置決め部に押し当てるようにして前記防水シート固定装置を前記防水シート上に載置することで、前記防水シート固定装置を位置決めする工程と、を含むことを特徴とする。
【発明の効果】
【００１７】
本願の発明によれば、防水シート上に位置決め用治具を載置する際、位置決め用治具の押し当て部材を固定部材中心の凹部に押し当てるだけで、位置決め用治具の置き場所を極めて容易に決定することができる。また、位置決め用治具の位置決め部に防水シート固定装置の外周面を押し当てるようにして防水シート固定装置を防水シート上に載置するだけで、防水シート固定装置を正確かつ簡単に位置決めすることができる。
【図面の簡単な説明】
【００１８】
【図１】本発明の一実施形態に係る防水シート固定ユニットを示す断面図である。
【図２】固定部材を示す斜視図である。
【図３】防水シートを敷設する手順を示す図である。
【図４】本発明の一実施形態に係る位置決め用治具を示す斜視図である。
【図５】図４の位置決め用治具を示す底面図である。
【図６】位置決め用治具の押し当て部材を固定部材の凹部に押し当てた状態を示す断面図である。
【図７】位置決め用治具の押し当て部材を固定部材の凹部に押し当てた状態を、図６とは別の方向から見た断面図である。である。
【発明を実施するための形態】
【００１９】
以下、本発明の実施形態について、添付図面を参照しながら詳細に説明する。
【００２０】
図１は、本発明の一実施形態に係る防水シート固定ユニット２を示す。防水シート固定ユニット２は、建物の躯体８０の表面に固定される円盤状の固定部材６０と、建物の躯体８０の表面に敷設された防水シート８２を固定部材６０に固定する防水シート固定装置としての電磁誘導加熱装置７０と、防水シート８２により覆われた固定部材６０に対する所定位置に電磁誘導加熱装置７０を位置決めするための位置決め用治具４と、を有する。
【００２１】
図２に示すように、固定部材６０は、円形で且つ薄肉の板状部材の外縁部を段状に屈曲して形成されており、外縁部に対して内側の部分が所定高さだけ持ち上げられた形状となっている。固定部材６０は所定高さを有するため、固定部材６０の上に防水シート８２が敷設されたとき、固定部材６０の設置部分において、容易に視認可能な段差が防水シート８２に生じる。そのため、防水シート８２により覆われた状態でも固定部材６０の位置を確認しやすくなっている。
【００２２】
固定部材６０の大きさは特に限定されないが、例えば、固定部材６０の上面の外径は６５ｍｍ、固定部材６０の下面の外径は８０ｍｍ、固定部材６０の高さは３．５ｍｍとされている。
【００２３】
固定部材６０の表面６１の中心には凹部６２が形成されている。凹部６２は、平面視において例えば円形とされている。凹部６２は、水平な底面６３と、固定部材６０の表面６１と凹部６２の底面６３とに跨る周壁面６４とを有する。底面６３の中心にはビス挿通穴６６が形成されている。周壁面６４は、凹部６２の内側に向かって下方へ傾斜した傾斜面となっている。凹部６２の大きさは特に限定されるものではないが、例えば、平面視における凹部６２外縁部の直径が２５ｍｍ、平面視における底面６３の直径が１６ｍｍ、凹部６２の深さが２．５ｍｍとされる。
【００２４】
ただし、本発明において、固定部材６０の形状は、円盤状であり且つ表面に凹部６２を有するものであれば、上記形状に限定されないものとする。
【００２５】
固定部材６０としては、例えば、鋼板の上面に熱可塑性素材が被覆されてなるものが用いられる。熱可塑性素材としては、防水シート８２に対して熱融着可能な素材が用いられ、具体的には、例えば、塩化ビニル樹脂、オレフィン樹脂、又はホットメルト系接着剤等が用いられる。一方、鋼板の下面は例えば樹脂により被覆することが好ましく、これにより、錆の発生防止を図ることができる。
【００２６】
図３に示すように、固定部材６０は、防水シート８２が敷設される前に建物の躯体８０の表面に固定される。具体的には、例えばビス挿通穴６６に挿通されるビス６８により躯体８０表面に固定される。ビス６８により固定部材６０が建物の躯体８０表面に固定された状態において、ビス６８の頭部は固定部材６０の凹部６２に収容される。建物の躯体８０の表面に固定部材６０が固定された後、建物の躯体８０表面および固定部材６０の上に防水シート８２が敷設される。
【００２７】
防水シート８２の素材としては、固定部材６０上面の熱可塑性素材に対して熱融着可能な素材が用いられ、具体的には、例えば、塩化ビニル樹脂またはオレフィン樹脂等の熱可塑性素材が用いられる。
【００２８】
図１に戻って、電磁誘導加熱装置７０は、概略円柱状の外形を有する。電磁誘導加熱装置７０の下端部は、図示しないコイルが内蔵された発振部となっている。装置７０の電源をオンにすると、発振部のコイルに電流が流れ、コイルの周辺に磁界が形成される。発振部のコイルは、コイルの中芯が装置７０の下面の中心に一致するように搭載されており、装置７０の電源がオンにされたときに発生する磁界の磁束は、装置７０の下面中心部を通るように構成されている。よって、加熱対象物の上に載置された装置７０の電源をオンにすると、装置７０で発生する磁束が加熱対象物を通過し、加熱対象物に渦電流が流れることで、加熱対象物が加熱される。
【００２９】
固定部材６０に防水シート８２を固定する際は、固定部材６０の上に防水シート８２を介して電磁誘導加熱装置７０を載置し、装置７０の電源をオンにする。これにより、固定部材６０が加熱され、固定部材６０と防水シート８２とが加熱融着される。このとき、装置７０の下面中心が固定部材６０の表面６１の中心に一致していなければ、固定部材６０に加熱むらが生じるため、固定部材６０に対して防水シート８２を確実に固定できない。そこで、本実施形態では、防水シート８２により覆われた固定部材６０に対して、電磁誘導加熱装置７０を正確かつ簡易に位置決めするために位置決め用治具４が用いられる。
【００３０】
図４に示すように、位置決め用治具４は、固定部材６０の凹部６２に防水シート８２を介して上側から押し当てられる押し当て部材１０と、押し当て部材１０の位置を、押し当て部材１０を凹部６２に押し当てるための第１の位置（以下、「押し当て位置」という。）と、押し当て部材１０が電磁誘導加熱装置７０に干渉することを避けるための第２の位置（以下、「退避位置」という。）との間で切り替えるための切替手段２０と、電磁誘導加熱装置７０が位置決めされるように装置７０の外周面が押し当てられる位置決め部８を有するガイド部材６と、を備えている。
【００３１】
図６に示すように、押し当て部材１０は、固定部材６０の凹部６２に対して押し当て部材１０の下端部が嵌り込むようにして押し当てられる。押し当て部材１０は、固定部材６０の凹部６２に押し当てられた状態において固定部材６０の表面６１に平行なあらゆる方向の移動が規制される形状を有する。これにより、固定部材６０の凹部６２に押し当て部材１０が押し当てられたとき、固定部材６０に対する押し当て部材１０の相対的な位置は、必然的に１つの所定位置に決定される。
【００３２】
押し当て部材１０の具体的な形状としては、固定部材６０の凹部６２の形状に応じて、種々の形状が考えられるが、本実施形態において、押し当て部材１０の形状は略球形である。押し当て部材１０の大きさは、押し当て部材１０の中心よりも下側の部分を防水シート８２を介して固定部材６０の凹部６２の周壁面６４に対して全周に亘って押し当て可能な大きさであることが好ましい。そのため、押し当て部材１０の直径は、固定部材６０の凹部６２の直径よりも大きいことが好ましく、具体的には例えば３０ｍｍとされる。
【００３３】
また、本実施形態において、押し当て部材１０は、押し当て部材１０を水平方向に沿って貫通するシャフト３０により回転自在に支持されている。すなわち、押し当て部材１０は車輪で構成されており、防水シート８２上を転動可能となっている。そのため、押し当て部材１０を防水シート８２上で転動させながら、防水シート８２により覆い隠された固定部材６０の凹部６２の位置を探し当てることができる。よって、固定部材６０の凹部６２に対する押し当て部材１０の押し当てを容易に行うことができる。
【００３４】
押し当て部材１０の表面には、固定部材６０固定用のビス６８の頭部との干渉を回避するためのビス回避用凹部１２が形成されている。これにより、押し当て部材１０を、ビス６８の頭部との干渉を回避しつつ固定部材６０の凹部６２に対して確実に押し当てることができる。ビス回避用凹部１２は、押し当て部材１０の回転方向に沿った溝状に形成されている。また、ビス回避用凹部１２は、押し当て部材１０の回転方向の全周に亘って無端状に設けられている。そのため、押し当て部材１０の回転位置に拘わらず、押し当て部材１０とビス６８との干渉を確実に避けることができる。固定部材６０の凹部６２に対して押し当て部材１０を押し当て可能とするため、ビス回避用凹部１２の溝幅は固定部材６０の凹部６２の直径よりも小さくする必要がある。具体的に、ビス回避用凹部１２の溝幅は、例えば１３ｍｍとされる。
【００３５】
押し当て部材１０の素材は限定されるものではないが、防錆性、加工性および耐摩耗性に優れた素材を用いることが好ましい。押し当て部材１０に好適に用いられる具体的な素材としては、例えば、ポリアセタール樹脂が挙げられる。
【００３６】
図４に戻って、切替手段２０は、ガイド部材６と押し当て部材１０とに跨る連結部材２２を有する。連結部材２２は、ガイド部材６に対して後述のシャフト４６（図７参照）を介して回動可能に連結されており、連結部材２２がシャフト４６を中心として回動することにより、押し当て部材１０が押し当て位置（図７に示す位置）と退避位置（図１に示す位置）との間で移動可能となっている。
【００３７】
連結部材２２の構造について具体例に説明する。なお、以下の連結部材２２の構造の説明において、種々の方向に関する用語は、押し当て部材１０が押し当て位置（図７に示す位置）にある状態における方向を指すものとする。
【００３８】
連結部材２２は、所定方向に沿って帯状に延びる部材で構成され、連結部材２２の長さ方向一端部においてガイド部材６に連結され、連結部材２２の長さ方向他端部において押し当て部材１０に連結されている。
【００３９】
連結部材２２は、水平方向に延びる第１プレート部２３と、第１プレート部２３の幅方向一端から垂下する第２プレート部２４と、第１プレート部２３の幅方向他端から垂下する第３プレート部２５とを有する。ただし、第１プレート部２３は、必ずしも水平方向に沿って設ける必要はなく、水平方向に対して傾斜して設けるようにしてもよい。
【００４０】
連結部材２２の長さ方向のガイド部材６側の端部において、第１プレート部２３の下面には、一対のシャフト支持部材４２，４３が例えばビス４４により固定されている。一対のシャフト支持部材４２，４３は、第１プレート部２３の幅方向に間隔を空けて設けられ、一対のシャフト支持部材４２，４３間に跨ってシャフト４６が設けられている（図１及び図７参照）。シャフト４６は、水平方向に沿って配置されるように、後述のシャフト連結部５０により支持されている。
【００４１】
連結部材２２の長さ方向の押し当て部材１０側の端部には、第３プレート部２５の上下方向の幅を下方に拡げてなるシャフト支持部２７と、第２プレート部２４の上下方向の幅を下方に拡げてなるシャフト支持部２６とが、互いに対向するように設けられている（図１及び図７参照）。図６に示すように、シャフト支持部２６，２７の内側の面には、それぞれシャフト支持部材２８，２９が例えばビス３２により固定されている。押し当て部材１０を回転自在に支持するシャフト３０は、シャフト支持部材２８，２９間に跨って設けられている。
【００４２】
連結部材２２の長さ方向の押し当て部材１０側の端部において、第１プレート部２３の上面には、例えば円盤状の把手部３６が取り付けられている。治具４を使用する際、使用者は把手部３６を掴むことで、連結部材２２の回動操作を容易に行うことができる。また、把手部３６を掴むことで、治具４の運搬も容易に行うことができる。
【００４３】
図４に戻って、ガイド部材６は、板状の部材で構成されている。具体的に、ガイド部材６は、矩形の板状部材の１つの側面が半円状に切り欠かれた形状を有する。ガイド部材６の厚みは特に限定されないが、例えば１０ｍｍとされている。
【００４４】
位置決め部８は、ガイド部材６の切り欠き部の側面により構成されている。位置決め部８の具体的な構成については後に説明する。
【００４５】
ガイド部材６の上面には、シャフト連結部５０が設けられている。シャフト連結部５０は、例えばビス５８によりガイド部材６上面に固定されたベース部５２と、ベース部５２の上面に例えば一体に連なるシャフト支持部５４とを有する。図７に示すように、シャフト支持部５４は、ベース部５２の上面から位置決め部８とは反対側の方向へ延びるように設けられており、シャフト支持部５４の先端部に、水平方向に延びるシャフト挿通穴５６が形成されている。シャフト挿通穴５６には、上述のシャフト４６が挿通されており、シャフト４６は、シャフト支持部５４により回転自在に支持されている。これにより、連結部材２２は、ガイド部材６に対してシャフト４６及びシャフト連結部５０を介して回動可能に連結されている。
【００４６】
位置決め部８は、電磁誘導加熱装置７０の外周面の形状に対応して形成されている。具体的に、位置決め部８の形状は、平面視において、電磁誘導加熱装置７０の下端部外縁の直径と同一の直径を有する円弧状であり、より具体的には半円である。そのため、位置決め部８に電磁誘導加熱装置７０を押し当てたとき、平面視において、位置決め部８を形成する円弧の中心に対して、電磁誘導加熱装置７０の下端部の中心を一致させることができる。
【００４７】
また、平面視において、位置決め部８により形成される円弧の中心は、押し当て位置に配置された押し当て部材１０の中心に一致するように構成されている。そのため、押し当て位置に配置された押し当て部材１０が防水シート８２を介して固定部材６０の凹部６２に押し当てられるように防水シート８２上にガイド部材６が配置された状態において、押し当て部材１０の位置が退避位置に切り替えられ、且つ、電磁誘導加熱装置７０が位置決め部８に押し当てられたとき、平面視において、電磁誘導加熱装置７０の下端部の中心を、固定部材６０の中心に一致させることができる。これにより、ガイド部材６は、固定部材６０に対する所定位置に電磁誘導加熱装置７０を案内することができる。よって、所定位置に位置決めされた装置７０によって固定部材６０をむらなく加熱することができる。
【００４８】
ただし、本発明において、位置決め部８の形状は上記形状に限定されない。位置決め部８は、電磁誘導加熱装置７０の下端部の外周面に対して、平面視において互いに異なる少なくとも２点で当接可能な形状であればよく、これにより、電磁誘導加熱装置７０を位置決めすることができる。そのため、本発明において、位置決め部８は、平面視において押し当て位置にある押し当て部材１０の中心からの距離が互いに等しい少なくとも２点を通るように形成すればよい。よって、この条件を満たす限りにおいて、位置決め部８の平面形状は、半円よりも短い円弧状、又は、円弧状以外の形状であってもよい。
【００４９】
以上のように構成された防水シート固定ユニット２を用いて、防水シート８２を建物の躯体８０の表面に固定する手順について説明する。
【００５０】
先ず、建物の躯体８０の表面に、複数の固定部材６０を適当な間隔を空けてビス６８により固定し（図３参照）、建物の躯体８０の表面と固定部材６０との上に防水シート８２を敷設する。
【００５１】
続いて、防水シート８２を介して固定部材６０の上に電磁誘導加熱装置７０を載置する。このとき、平面視において固定部材６０の中心と電磁誘導加熱装置７０の下面の中心とが一致するように、電磁誘導加熱装置７０を位置決めする。
【００５２】
具体的には、先ず、位置決め用治具４の押し当て部材１０を押し当て位置に配置し、防水シート８２上で押し当て部材１０を転動させながら、防水シートにより覆われた固定部材６０の凹部６２の位置を探し当て、固定部材６０の凹部６２に対して防水シート８２を介して押し当て部材１０を押し当てる。
【００５３】
このようにして押し当て部材１０を固定部材６０の凹部６２に押し当てた状態で、位置決め用治具４のガイド部材６を防水シート８２上に載置する。これにより、位置決め用治具４の位置決め部８は、固定部材６０の周囲を取り囲むように配置される。
【００５４】
続いて、把手部３６を掴んで連結部材２２を回動させることで、押し当て部材１０の位置を退避位置に切り替える。これにより、電磁誘導加熱装置７０を載置する際、装置７０と押し当て部材１０とが干渉することを回避できる。
【００５５】
最後に、電磁誘導加熱装置７０の下端部の外周面を位置決め部８に押し当てるようにして装置７０を防水シート８０上に載置し、これにより、装置７０が位置決めされる。
【００５６】
ここで、位置決め部８の平面形状は円弧状であるため、位置決め用治具４を水平方向に引き抜くようにして装置７０から離間させることができる。そのため、装置７０を位置決めした後、位置決め用治具４を撤去して別の場所で使用することができる。
【００５７】
上記のように位置決めされた装置７０の電源をオンにすると、固定部材６０がむらなく加熱され、固定部材６０に対して防水シート８２を確実に融着させることができる。
【００５８】
以上、上述の実施形態を挙げて本発明を説明したが、本発明は上述の実施形態に限定されるものではない。
【００５９】
例えば、上述の実施形態では、ビス回避用凹部１２が形成された略球形の押し当て部材１０を使用する構成について説明したが、本発明においてビス回避用凹部は必ずしも設ける必要がなく、ビス回避用凹部を設けない場合、押し当て部材の形状は完全な球形であってもよい。また、本発明において、押し当て部材の形状は、球形または略球形に限られず、固定部材の凹部に押し当てられた状態において固定部材の表面に平行な任意の方向の移動が規制される形状であればよい。
【００６０】
また、上述の実施形態では、固定部材６０の凹部６２が平面視において円形である場合について説明したが、本発明は、固定部材の凹部の平面形状が円形以外の種々の形状である場合にも等しく適用することができる。
【００６１】
さらに、上述の実施形態では、防水シート固定装置として電磁誘導加熱装置７０を使用する構成について説明したが、本発明において、防水シート固定装置は、防水シートを介して固定部材の上に載置した状態で使用される装置であれば、電磁誘導加熱装置に限定されないものとする。
【００６２】
さらにまた、上述の実施形態で使用される防水シート固定装置は概略円柱状であるが、本発明は、円柱状以外の種々の形状を有する防水シート固定装置を使用する場合にも適用することができ、防水シート固定装置の下端部の外形に応じて、位置決め用治具の位置決め部の形状は適宜変更可能である。
【符号の説明】
【００６３】
２：防水シート固定ユニット、４：位置決め用治具、６：ガイド部材、８：位置決め部、１０：押し当て部材、１２：ビス回避用凹部、２０：切替手段、２２：連結部材、３６：把手部、４０：ヒンジ機構、４６：シャフト、５０：シャフト連結部、６０：固定部材、６２：固定部材の凹部、６６ビス挿通用穴、６８：ビス、７０：電磁誘導加熱装置、８０：建物の躯体、８２：防水シート。
【図１】
2010281134.tif 000003
【図２】
2010281134.tif 000004
【図３】
2010281134.tif 000005
【図４】
2010281134.tif 000006
【図５】
2010281134.tif 000007
【図６】
2010281134.tif 000008
【図７】
2010281134.tif 000009